(57)【特許請求の範囲】
【請求項１】
複数の釣竿又は複数本に分割された釣竿部材からなる複数の釣竿体に巻き付けてこれら複数の釣竿体を結束するための釣竿結束ベルトであり、
互いに結束される複数の釣竿体の間に挟み込まれて巻き始め端側となる巻付開始部及び巻き終り端側となる終端部を有すると共に、複数の釣竿体に巻き付けた際に外側に位置する外側面及び内側に位置する内側面を有する帯状のベルト本体と、このベルト本体の終端部とベルト本体の外側面との間を係脱可能に係止する係止部材とを備え、
上記係止部材は、ベルト本体の少なくとも巻付開始部を除く外側面全面に設けられた雌部面ファスナーとベルト本体の終端部の内側面に設けられた雄部面ファスナーとで構成されており、
上記ベルト本体には、その巻付開始部の外側面と、終端部を除く内側面全面とに、釣竿体の表面に対する滑り止め機能を持たせたことを特徴とする釣竿結束ベルト。
【請求項２】
ベルト本体に付与される滑り止め機能が、ベルト本体の材質に由来するものである請求項１に記載の釣竿結束ベルト。
【請求項３】
ベルト本体に付与される滑り止め機能が、ベルト本体の表面に形成される表面形状構造に由来するものである請求項１又は２に記載の釣竿結束ベルト。
【請求項４】
ベルト本体に滑り止め機能を付与する表面形状構造が、ベルト本体の表面から互いに独立して突設された多数の柱状突起で構成されており、各柱状突起にはその頂上に互いに略同一平面状に位置する平滑な頂上面が形成されていると共に、各柱状突起の周方向側面と上記頂上面とで角部が形成されている請求項３に記載の釣竿結束ベルト。
【請求項５】
複数の釣竿又は複数本に分割された釣竿部材からなる複数の釣竿体に巻き付けてこれら複数の釣竿体を結束するための釣竿結束ベルトであり、
互いに結束される複数の釣竿体の間に挟み込まれて巻き始め端側となる巻付開始部及び巻き終り端側となる終端部を有すると共に、複数の釣竿体に巻き付けた際に外側に位置する外側面及び内側に位置する内側面を有する帯状のベルト本体と、このベルト本体の終端部とベルト本体の外側面との間を係脱可能に係止する係止部材とを備え、
上記係止部材は、ベルト本体の外側面全面に設けられた雌部面ファスナーとベルト本体の終端部の内側面に設けられた雄部面ファスナーとで構成されており、
上記ベルト本体には、その終端部を除く内側面全面に釣竿体の表面に対する滑り止め機能を持たせ、そのベルト本体に付与される滑り止め機能が、ベルト本体の表面から互いに独立して突設された多数の柱状突起で構成されており、各柱状突起にはその頂上に互いに略同一平面状に位置する平滑な頂上面が形成されていると共に、各柱状突起の周方向側面と上記頂上面とで角部が形成されている表面形状構造に由来するものであることを特徴とする釣竿結束ベルト。
【請求項６】
ベルト本体が、デュロメータＡ硬度４０〜７０の柔軟な熱可塑性エラストマー樹脂で形成されている請求項１〜５のいずれかに記載の釣竿結束ベルト。
【請求項７】
ベルト本体を形成する熱可塑性エラストマー樹脂が、スチレン系、ウレタン系、オレフィン系、塩化ビニル系のいずれかの熱可塑性エラストマー樹脂又はこれらいずれかの混合樹脂からなる請求項６に記載の釣竿結束ベルト。
【請求項８】
ベルト本体の巻付開始部には、その一般面から突出した始端突起が形成されている請求項１〜７のいずれかに記載の釣竿結束ベルト。
【請求項９】
雄部面ファスナーが、ベルト本体の長さ方向に一定の間隔で設けられた複数の分割構成片で構成されている請求項１〜８のいずれかに記載の釣竿結束ベルト。
【発明の詳細な説明】
【技術分野】
【０００１】
この発明は、複数の釣竿又は複数本に分割されて互いに接続可能な釣竿部材からなる複数の釣竿体を一纏めにし、これに巻き付けて複数の釣竿体を結束するための釣竿結束ベルトに関する。
【背景技術】
【０００２】
従来より、その日に使う予定の釣竿と予備の釣竿等の複数の釣竿（釣竿体）や、携帯に便利なように複数本に分割されて互いに接続可能な釣竿部材（釣竿体）を持ち運ぶ際に、これら複数の釣竿体を一纏めに束ね、釣竿結束ベルトを通常複数本用いて結束し固定して、持ち運び易くすることが行われており、また、このような釣竿結束ベルトについて、幾つかの提案がされている。
【０００３】
例えば、特許文献１には、裏面と表面の何れか一方に面ファスナーの雄部を設けると共にこの面ファスナーの他方の面に雌部を設け、また、ベルトの一端には釣竿係止用凹溝を有する係止部材を設け、釣竿を束ねて保持する際にベルトの巻付開始端側が移動せず、緩まず、束ね操作が容易な釣竿携帯用保持具が提案されている。
【０００４】
また、特許文献２には、バンド主体の一端部に幅方向のスリット部を形成し、バンド主体をその他端部からスリット部内に挿通してバンド主体の一端部に予備の釣竿を固定する第一釣竿締付環を形成すると共に、バンド主体の他端部内面に設けた係止部材をこのバンド主体の外面に係脱可能に係止して、その日に使う予定の釣竿を固定する第二釣竿締付環を形成するように構成した釣り竿収束バンドが提案されている。
【０００５】
更に、特許文献３には、クロロプレンゴム等の発泡ゴムで形成されて柔軟性及び伸縮性を有するベルト本体と、ベルト本体の後端内面に設けられた面ファスナー雄部及びベルト本体の外面全面に設けられた面ファスナー雌部からなる止め具とを有する釣り具用ベルトにおいて、ベルト本体の後端部がめくり上がるのを防止するために、ベルト本体の後端外面にカバー体を設けた釣り具用ベルトが開示されており、また、特許文献４には、上記特許文献３と同様の釣り具用ベルトにおいて、ベルト本体の締め付けが容易になるように、ベルト本体の後端部にその幅寸法が後端に進むにつれて徐々に狭くなるテーパー部を形成した釣り具用ベルトが開示されており、更にまた、特許文献５には、上記特許文献３と同様の釣り具用ベルトおいて、ベルト本体の巻回操作を容易にするため、ベルト本体の後端に幅広のつまみ部を形成した釣り具用ベルトが開示されている。
【特許文献１】特開平09-299,008号公報
【特許文献２】特開平11-318,297号公報
【特許文献３】特開2007-167,032号公報
【特許文献４】特開2007-175,025号公報
【特許文献５】特開2007-181,402号公報
【発明の開示】
【発明が解決しようとする課題】
【０００６】
しかしながら、特許文献１に記載の釣竿携帯用保持具においては、ベルトの一端に釣竿係止用凹溝を有する係止部材を設ける必要があり、ベルトとこの係止部材とを一体に成形することができず、製造コストが嵩むほか、比較的硬い合成樹脂材で形成された係止部材に柔軟な発泡ゴム製のベルトを取り付けると、その取付部分に応力が集中し、切断し易くて耐久性に乏しく、商品化が困難であった。
【０００７】
また、特許文献２に記載の釣り竿収束バンドにおいては、第一釣竿締付環を形成するためにバンド主体の他端部をバンド主体の一端部に形成したスリット部内に挿入し、形成された第一釣竿締付環で予備の釣り竿にしっかりと固定し、その後に第二釣竿締付環を形成してその日に使う釣り竿を予備の釣り竿と一緒に固定するものであるから、その取扱操作釣り竿の締付操作が面倒であると共に、複数本に分割されて互いに接続可能な釣竿部材からなる釣竿体の結束用としては不向きである。
【０００８】
更に、特許文献３〜５に記載の釣り具用ベルトでは、いずれも、柔軟性及び伸縮性を有する発泡ゴム製のベルト本体の外面全面に止め具を構成する面ファスナー雌部が設けられているので、複数の釣竿体に巻き付けて結束する際に、ベルト本体の一端部を２本又は３本以上の複数の釣竿体間に挟み込んで巻き付けようとした際に、このベルト本体の一端部外面に位置する面ファスナー雌部が何本かの釣竿体の表面と接することになる。
【０００９】
しかるに、この何本かの釣竿体の表面と不可避的に接するベルト本体外面の面ファスナー雌部は、その表面全面が、面ファスナー雄部に設けられたフック片が容易に係脱可能なようにナイロン、ポリエステル等の合成繊維でループ状に形成されたループ繊維で覆われており、この面ファスナー雌部は全体として非常に滑り易い性質を持っている。
【００１０】
このため、たとえベルト本体が柔軟性及び伸縮性を有して釣竿体表面の塗装面等に対して比較的滑り難い材質を有していたとしても、ベルト本体の一端部外面の面ファスナー雌部に接する何本かの釣竿体が滑り易い状態にあり、その位置決めが安定しないため、複数の釣竿体を釣り具用ベルトで結束する際には、ベルト本体の一端部を複数の釣竿体間に挟み込んでしっかりと握り、この握り締めた複数の釣竿体の周りにベルト本体を始めはゆっくりと注意深く巻き付け、次第に強く巻き付けるようにする必要があり、使用時の操作性に問題があり、特に雨の日等で釣竿体が水で濡れていると更に滑り易くなって、使用時の操作性が更に悪化するという問題があった。
【００１１】
また、このように面ファスナー雌部に接する何本かの釣竿体が滑り易い状態にあると、必然的にこれらの釣竿体の結束性が不十分になり易く、例えば、複数の釣竿体が複数本に分割されて互いに接続可能な釣竿部材からなる場合、外径が小さく接触面積の小さい穂先部の釣竿体では、時として、抜け落ちたり、結束ベルトの中で遊んでこれを傷めてしまう等の問題が生じる。
【００１２】
更に、複数本に分割されて互いに接続可能な釣竿部材からなる釣竿体の場合、使用の際には分割された複数の釣竿体を雄雌式に嵌合し連結して使用するが、使用後には複数の各釣竿体に分解して結束ベルトで結束する。そして、このような釣竿体の雄雌式の嵌合連結部は、使用時にはしっかりと連結されている必要があることから、この分解操作に際して、時として雄雌式の嵌合連結部が固着して緩め難くなることがあり、特に釣竿の使用環境が雨降り等の水に濡れた環境で使用される場合にはこの傾向が顕著になる。このような場合、通常は、釣竿体をしっかりと滑らずに握ることができる何か滑り止め効果の高いゴム製のもの、例えば幅広の大きな輪ゴム等を釣竿体に巻き付け、この輪ゴム等を介して嵌合連結部を緩めることが行われるが、このような何か滑り止め効果の高いゴム製のものが無い場合には、結束ベルトを用いてもよいが、従来の結束ベルトではその滑り止め機能が不足し、特に水に濡れた環境での使用には十分に対応できない。
【００１３】
そこで、本発明者は、上記従来の釣竿結束ベルトにおける問題点を解決すべく鋭意検討した結果、意外にも、複数の釣竿体の間に挟み込まれて巻き始め端側となる巻付開始部を有する帯状のベルト本体の、少なくともその巻付開始部の外側面及び内側面の両面に、釣竿体の表面に対する滑り止め機能を持たせることにより、複数の釣竿や複数本に分割されて互いに接続可能な釣竿部材からなる複数の釣竿体を一纏めにして結束する際に、これら複数の釣竿体を一纏めに束ね、これら複数の釣竿体に巻き付けて結束し、固定する、いわゆる「巻付け操作性」に優れ、たとえ水に濡れた状態でも容易に巻き付けて結束することができ、しかも、釣竿体の表面に対する滑り止め機能を生かして、複数本に分割されて互いに接続可能な釣竿部材からなる釣竿体の場合に、使用後にその釣竿体の雄雌式の嵌合連結部を分解する際の分解補助具として使用する、いわゆる「嵌合連結部の分解補助機能」をも発揮することを見出し、本発明を完成した。
【００１４】
従って、本発明の目的は、複数の釣竿又は複数本に分割されて互いに接続可能な釣竿部材からなる複数の釣竿体を一纏めにし、これに巻き付けて複数の釣竿体を結束するための釣竿結束ベルトであって、たとえ水に濡れた状態でも容易に巻き付けて結束することができる優れた巻付け操作性を有するだけでなく、優れた釣竿体嵌合連結部の分解補助機能をも備えた釣竿結束ベルトを提供することにある。
【課題を解決するための手段】
【００１５】
すなわち、本発明は、複数の釣竿又は複数本に分割された釣竿部材からなる複数の釣竿体に巻き付けてこれら複数の釣竿体を結束するための釣竿結束ベルトであり、互いに結束される複数の釣竿体の間に挟み込まれて巻き始め端側となる巻付開始部及び巻き終り端側となる終端部を有すると共に、複数の釣竿体に巻き付けた際に外側に位置する外側面及び内側に位置する内側面を有する帯状のベルト本体と、このベルト本体の終端部とベルト本体の外側面との間を係脱可能に係止する係止部材とを備え、上記ベルト本体には、少なくともその巻付開始部の外側面及び内側面の両面に、釣竿体の表面に対する滑り止め機能を持たせたことを特徴とする釣竿結束ベルトである。
【００１６】
本発明において、ベルト本体は、その基本的な大きさが厚さ０．５mm以上６mm以下、幅１０mm以上１００mm以下、長さ１００mm以上５００mm程度の帯状に形成されており、複数の釣竿体に巻き付けて結束し固定するという本来の機能を発揮できれば、製品価値の向上等を目的としてその形状、模様等に種々のデザインを施すことができる。
【００１７】
また、本発明において、ベルト本体に設けられる巻付開始部の長さは、互いに結束される複数の釣竿体の間に挟み込まれて巻き始めるのに必要な長さであって、好ましくは２本の釣竿体の表面にＳ字状に巻き付けるだけの長さ以上を有するのがよく、適用される釣竿体の太さ等によっても異なるが、通常１cm以上１５cm以下、好ましくは２cm以上１２cm以下であり、ベルト本体全長の略１／２０以上１／２以下の長さ、好ましくは１／１５以上１／３以下の長さがよい。
【００１８】
ここで、滑り止め機能が付与されるベルト本体の内側面及び外側面の領域については特に制限されないが、巻付け操作性を確保するために少なくとも上記巻付開始部の内側面及び外側面の両面については滑り止め機能を有していることが必要であり、また、複数本に分割されて互いに接続可能な釣竿部材からなる複数の釣竿体の結束ベルトとして用いる場合において、使用後の嵌合連結部を分解する際の嵌合連結部の分解補助機能を発現させるためには、ベルト本体の内側面及び／又は外側面において、好ましくは４cm以上、より好ましくは５cm以上の長さの滑り止め機能を有する領域が存在するのがよく、好ましくはベルト本体の終端部を除く内側面全面に滑り止め機能を付与するのがよい。
【００１９】
更に、本発明において、ベルト本体の終端部とベルト本体の外側面との間を係脱可能に係止する係止部材については、例えばベルト本体の外側面に形成された係止溝とベルト本体の終端部に形成されて上記係止溝に係脱可能に係止する鉤状部とからなる構成等のものであってもよいが、巻付け操作性等の観点から、好ましくは、ベルト本体の外側面に設けられた雌部面ファスナーとベルト本体の終端部の内側面に設けられた雄部面ファスナーとからなる面ファスナーであるのがよく、束ねる釣竿体の本数や外径にかかわらず自由な位置でベルト本体の終端部を係止できることから、より好ましくは、上記雌部面ファスナーが、ベルト本体の少なくとも巻付開始部を除く、ベルト本体の外側面全面に設けられているのがよい。
【００２０】
このような目的で係止部材として用いられる面ファスナーとしては、例えば、雄部面ファスナーが、雄部面ファスナーの基材の表面にフック状の係止片が複数設けられたものが好ましく、また、雌部面ファスナーが、雌部面ファスナーの基材の表面に合成繊維がループ状に複数形成されて、雄部面ファスナーのフック片と係脱可能に係止できるものがよい。更に、雌部面ファスナーは、例えば織布状、ニット布状、不織布状等の布状で全体が伸縮性を有するものが好ましい。これらの面ファスナーは、例えば、ナイロン、ポリエステル、ポリプロピレン等による公知の面ファスナーが使用できる。
【００２１】
また、上記の雌部面ファスナーは、ベルト本体の外側面に設けられて、ベルト本体を釣竿体に巻き付けた時に、ベルト本体の終端部に設けられた雄部面ファスナーが係止可能な部位又は範囲に設けられていればよい。例えば、ベルト本体の巻付開始部を除く外側面の略全長に設けたり、ベルト本体の巻付開始部及び／又は終端部の端から一定長さ部分を除く領域に設けたり、あるいは、ベルト本体の幅寸法より狭い寸法で設けたり、長さ方向又は幅方向に分離分割して設けたりすることができる。
【００２２】
ここで、雌部面ファスナーはベルト本体の外側面でベルト本体の略全長に設けて構成することもできる。この場合には、ベルト本体の巻付開始部の領域の雌部面ファスナーに対しては、例えば、滑り止め機能に優れた樹脂による材料を接着又は縫着等の手段で積層したり、あるいは、これらの樹脂を含浸若しくは塗布したりして滑り止め機能を付与してもよい。このようにして、ベルト本体の少なくとも巻付開始部の内側面と外側面の両面で滑り止め機能を有するように構成することもできる。
【００２３】
そして、上記の雄部面ファスナーについては、ベルト本体の終端部の端に接して取付けられてもよいし、この端から一定の間隔をあけて取付けられていてもよい。更に、幅方向の両端に接して取付けてもよく、或いはこれら両端から一定の間隔をあけて取付けるようにしてもよい。また、雄部面ファスナーの大きさは、ベルト本体を釣竿体に巻き付けてこの終端部付近で係止固定できる大きさであればよく、例えば、終端部付近に１cm2以上２０cm2以下の大きさで設けられる。また、長さ方向には５mm以上１００mm以下の長さで、好ましくは５mm以上８０mm以下の長さで設けるのがよい。また、このような雄部面ファスナーは、ベルト本体終端部の内側面に縫着、接着等の手段で取り付けることができ、接着手段としては感圧型の接着剤等が使用できる。
【００２４】
ここで、雄部面ファスナーは、全体が樹脂の成型品であったり、樹脂の単繊維（モノフィラメント）によって織物に多数のフック状の係止片を織り込んだ構造になっており、繰返しの係脱操作によって簡単にフック片が変形したり、外れたりすることがないように、比較的強靭な材料で形成されて必然的に強固な構造を持ち、柔軟な布状の雌部面ファスナーと比較して高い剛性を有している。このため、ベルト本体の終端部付近は、そこに設けられた雄部面ファスナーによって曲げ剛性が必然的に大きくなっている。その結果、ベルト本体を複数の釣竿体に略円形状に巻き付けてこのベルト本体の終端部を係止する際に、特に係止部分が曲率半径の小さい部分であると、ベルト本体の終端部が係止部分の円形状に倣った曲率の円形状態を維持するのが困難になり、巻き付けて係止された終端部の端がスプリングバックし、この終端部に設けられた雄部面ファスナーのフック片が伸びきって雌部面ファスナーのループ片から離脱し、最後には終端部の端側が部分的に浮き上がってくる浮上り現象を引き起こす。この終端部端部の浮上り現象は、その後の釣竿体の取扱いにおいて引っ掛かる等の障害の原因になり、ひいては釣竿体の結束が外れる結果へと繋がり、係止部材の係止機能を不完全なものとする。
【００２５】
以上のような観点から、ベルト本体の終端部の内側面に設けられる雄部面ファスナーについては、ベルト本体の長さ方向に互いに若干の隙間を維持して設けられる複数の分割構成片で構成し、ベルト本体の終端部を曲げ易く柔軟にすることが好ましい。このように雄部面ファスナーを複数に分割して構成することによって、１片１個の雄部面ファスナーで構成したものと比較して、ベルト本体終端部の曲げ剛性を低下させることができるので、上記のようなスプリングバックを解消して終端部端部の浮上り現象を可及的に防止して、係止部材による係止をより確実なものとすることができる。
【００２６】
このように構成される雄部面ファスナーは、例えば、０．１mm以上５０mm以下の間隔が設けられた複数の分割構成片で構成するのがよく、より好ましくは０．５mm以上１０mm以下、さらに好ましくは１mm以上５mm以下の間隔を設けた複数の雄部面ファスナーで構成するのがよい。各分割構成片間の間隔が小さすぎると、ベルト本体終端部をその内側面方向に曲げたときに雄部面ファスナーの互いに対向する対向縁部が衝合して終端部を内側面側に柔軟に曲げることができなくなり、また、間隔が大きすぎると、雌部面ファスナーとの間で所望の接合力が確保できなくなったり、この接合力を確保するために終端部が必要以上に大きくなるという問題が生じる。
【００２７】
更に、このような雄部面ファスナーは、例えば、２個以上１０個以下、好ましく２個以上５個以下の複数の分割構成片で構成することが好ましい。ここで、分割構成片の構成数（分割構成数）が比較的多ければベルト本体の終端部をスムーズに曲げることができるが、この分割構成数が少ないと終端部は多角的に曲がることになる。
【００２８】
ここで、複数に分割構成される雄部面ファスナーの各分割構成片の個々の長さは、例えば５mm以上３０mm以下の長さ、より好ましくは５mm以上２０mm以下の長さ、さらに好ましくは５mm以上１５mm以下の長さで構成することが例示できる。個々の長さが短いほどベルト本体の終端部をスムーズな曲率にできると共にスプリングバックを減少でき、個々の長さが長すぎるとスプリングバックを助長する。また、ベルト本体の終端部の端に最も近い分割構成片を少なくともこのような長さで構成し、他の分割構成片をこれより長く構成してもよく、この場合にもベルト本体終端部の端の浮上り現象を有効に防止できる。
【００２９】
そして、本発明においては、ベルト本体の巻付開始部の外側面及び内側面の両面に釣竿体の表面に対する滑り止め機能を持たせる必要があることから、好ましくは、このベルト本体を形成する材料として優れた滑り止め機能を有するものを用いるか、あるいは、ベルト本体の表面に優れた滑り止め機能を発現させるための表面形状構造を容易に設けることができる材料であることが好ましい。
【００３０】
本発明のベルト本体を形成する上で好適な優れた滑り止め機能を有する材料としては、例えば、エチレン・酢酸ビニル共重合体、エチレン・エチルアクリレート共重合体、軟質ポリ塩化ビニル、軟質アクリル、ポリウレタン、軟質エポキシ、部分架橋アクリル酸エステル共重合体、等の軟質のプラスチック樹脂、更に、スチレン系エラストマー、ウレタン系エラストマー、ポリエステル系エラストマー、ポリアミド系エラストマー、オレフィン系エラストマー、塩化ビニル系エラストマー、塩素化ポリエチレン、シリコンゴム、クロロプレンゴム、ネオプレンゴム、合成ゴム、天然ゴム等のエラストマー樹脂等による材料、これら樹脂による発泡体材料、及びこれらの積層体等が例示でき、熱可塑性、熱硬化性の樹脂を問わず使用できる。また、これらの樹脂を別体の材料に積層したり、含浸したり、塗布することによって滑り止め機能に優れた材料とすることもできる。
【００３１】
また、ベルト本体の表面に優れた滑り止め機能を発現させるための表面形状構造を設ける上で好適な材料としては、好ましくはデュロメータＡ硬度４０〜７０の柔軟なエラストマー樹脂であるのがよく、これにより、ベルト本体の滑り止め機能をより一層高めることができる。エラストマー樹脂は柔軟であることが好ましいが、デュロメータＡ硬度４０以下では軟らか過ぎて滑り止め機能の耐力が低下すると共に、巻付け操作の際の伸びが大きく耐久性を低下させる。また、デュロメータＡ硬度７０以上では硬すぎて釣竿体の表面の凹凸に対する密着性が低下して所望の滑り止め機能を発現させるのが難しくなると共に、巻付け操作の際に伸長させるのが困難になり、結束して固定するための張力が不足する。
【００３２】
このようなエラストマー樹脂としては、例えば、スチレン系エラストマー、ウレタン系エラストマー、ポリエステル系エラストマー、ポリアミド系エラストマー、オレフィン系エラストマー、塩化ビニル系エラストマー、塩素化ポリエチレン、シリコンゴム、フッ素ゴム、合成ゴム、天然ゴム、等のエラストマー樹脂及びこれら樹脂の混合樹脂が例示でき、熱可塑性、熱硬化性の樹脂を問わず使用できる。とりわけ、スチレン系、ウレタン系、オレフィン系、塩化ビニル系等の熱可塑性エラストマー樹脂、若しくは、これら樹脂による混合樹脂が好ましく適用できる。これらの樹脂によるベルト本体は、熱可塑性のため加工性よく成形できると共に、柔軟性と機械的強度及び耐摩耗性にも優れるものとなる。
【００３３】
また、これらのエラストマー樹脂は適度な粘着性を持たせることで滑り止め耐力を向上させることができるので、これらのエラストマー樹脂に適宜な粘着付与材を配合することが好ましい。粘着付与材としては、ロジン、ロジン誘導体、ポリテルペン、テルペンフェノール樹脂、その他石油留分から合成される石油樹脂等が例示できる。
【００３４】
更に、ベルト本体は、複数層で構成することもできるので、例えば、ベルト本体において、その外側面及び／又は内側面に露出する表面層部分を硬度の小さいエラストマー樹脂で形成してその下層部分を硬度の大きいエラストマー樹脂で構成したり、外側面及び／又は内側面に露出するベルト本体の滑り止め機能を高めつつ全体の弾性力を調整することもできる等、異なる物性の材料を複数積層して構成するようにしてもよい。
【００３５】
そして、このようにベルト本体を複数層で構成する場合、例えば、蛍光色カラー層と隠蔽性を有する裏打層の２層以上で構成することができ、屋外環境で使用される釣竿体に対しての視認性を向上させることができる。ここで、上記のエラストマー樹脂に蛍光顔料を配合して蛍光色カラーとすることができるが、この蛍光色カラー層の下側に、白色又は白色を配合した蛍光色の裏打層を設けた２層構造とすれば、更に蛍光色の蛍光感を向上させることができる。
【００３６】
本発明において、滑り止め機能を発現させるためにベルト本体の表面に形成される表面形状構造については、ベルト本体の露出する外側面及び／又は内側面に形成される種々の凹凸模様であるのがよく、その形状、大きさ及び深さについては特に限定されず、例えば、布目模様、砂目模様、角錐模様、円錐模様、角柱模様、円柱模様、格子模様、縞模様、線状模様等や、これらの組合模様等を例示することができる。更に、凹凸は、全体に凹み部分を形成したもの、或いは、全体に柱状突起部を形成したもの、これらを適宜組み合わせたもの等の凹凸も例示できる。
【００３７】
本発明において、ベルト本体の外側面及び／又は内側面に形成される滑り止め機能発現のための表面形状構造として特に好ましいのは、ベルト本体の表面から互いに独立して突設された多数の柱状突起で構成されており、各柱状突起にはその頂上に互いに略同一平面状に位置する平滑な頂上面が形成されていると共に、各柱状突起の周方向側面と上記頂上面とで角部が形成されている構造である。これによって、ベルト本体に付与される滑り止め機能をより一層向上させることができ、特に釣竿の使用環境が雨降り等の水に濡れた環境で使用される場合でも、その優れた滑り止め機能を発揮でき、使用時における巻付け操作性が顕著に向上し、巻付け操作が極めて容易になると共に結束性能も向上し、しかも、複数本に分割されて互いに接続可能な釣竿部材からなる釣竿体における嵌合連結部の分解補助具としても好適に使用することができる。
【００３８】
ここで、ベルト本体の外側面及び／又は内側面に形成される柱状突起は、ベルト本体の表面からそれぞれ独立して柱状に立設されているので、ベルト本体を釣竿体に巻き付けたときの張力が柱状突起を介して釣竿体に対する押しつけ応力として作用する。この際、ベルト本体に設けられた柱状突起は、柱状突起の頂上が平滑な面に形成された頂上面を有しているため、この押しつけ応力の作用によって、柱状突起先端の柔軟な樹脂が釣竿体の表面に真空状態を形成しながら密着し、釣竿体の表面に対して優れた滑り止め機能を発揮する。
【００３９】
更に、柱状突起は、その頂上面とその周方向側面とが明確に角付けされているため、この明確に角付けされた頂上面の輪郭が水平方向の応力に対する抗力となって、更に滑り止め機能を向上させる。このため、雨天時等の水に濡れた環境での使用においても十分な滑り止め機能を発揮させることができる。
【００４０】
そして、柱状突起の頂上面はできる限り平滑な面に形成されているのがよく、釣竿体表面とより密着し易くなって滑り止め機能が向上する。例えば、柱状突起の頂上面はその表面に光沢を有するほどに形成されるのがよく、好ましくは鏡面状に形成されているのがよい。そして、この柱状突起の頂上面は、算術平均粗さＲaが５μm以下の表面粗さ（JIS B0601）に形成するのがよく、より好ましくは３μm以下であり、更に好ましくは２μm以下の表面粗さである。
【００４１】
更に、柱状突起は、その頂上面とその周方向側面とが成形上可能な限り明確に角付けされていることが好ましく、角付けが明確であるほど水平方向の抗力を向上させ滑り止め機能が高まり、角付けが不足して角部が明らかに丸まっていると水平方向の抗力が不足する。そのため、柱状突起の頂上面と周方向側面との角付けは、例えば、角部の形状が半径５００μm以下、好ましくは３００μm以下、より好ましくは２００μm以下、更に好ましくは１００μm以下のＲ形状に形成するのがよい。
【００４２】
ここで、柱状突起の形状については、その横断面形状について、円形、楕円形、半円形、矩形、方形、多角形、模様形等、及びこれらを組み合わせた形状等が例示できる。長尺的に長く延在する横断面形状よりも単一的に独立した横断面形状を複数配設するのがよく、滑り止めの方向性をより少なくする観点から、円形の横断面形状を持つ柱状突起を複数均一的に配設することが例示できる。また、その縦断面形状については、矩形、方形、台形、円弧形等、及びこれらを組み合わせた形状等が例示される。そして、この柱状突起は、その全体が略々台形に近似した縦断面形状を有していてもよく、柱状突起先端の上底よりもベルト本体に接する下底が大きくなるように形成することにより、柱状突起の成形がより容易になる。
【００４３】
更に、柱状突起の高さについては、ベルト本体の表面から概ね０．１mm以上３mm以下、好ましくは０．３mm以上２mm以下の高さに形成されているのがよく、高さが小さすぎると柱状突起の形成が困難となり、また高さが大きすぎると、柱状突起の変形が大きくなり滑り止め機能の耐力が失われる。なお、柱状突起の高さはベルト本体の表面から柱状突起の頂上面までの垂直距離である。
【００４４】
そして、柱状突起は、個々の頂上面の面積が１mm2以上２０mm2以下の大きさでベルト本体に均一的に配列されて形成されるのがよく、頂上面の面積が大きすぎると釣竿体に接する柱状突起の数量が減って好ましくなく、頂上面の面積が小さすぎると成形が困難となる上、柱状突起自体が変形して好ましい滑り止め機能が得られない。
【００４５】
更に、柱状突起は、ベルト本体の平面の面積に対する頂上面の合計面積の比率が概ね２０%以上５０%以下、好ましくは２５%以上４５%以下の割合で形成されているのがよく、これによって、釣竿体に対して数多くの柱状突起が当接することができ、有効に滑り止め機能を発現させることができる。頂上面の形成割合が低すぎると滑り止めが有効に機能せず、頂上面の形成割合が高すぎると柱状突起が密集してこれの成形が困難となる。
【００４６】
また、このような柱状突起が形成されたベルト本体は、例えば、静摩擦係数が０．５以上の滑り止め機能を有しているのがよく、好ましくは、０．８以上の静摩擦係数であり、更に好ましくは１以上の静摩擦係数であるのがよい。なお、静摩擦係数は、試験方法として、JIS K7125（プラスチック-フィルム及びシート-摩擦係数試験方法）に準じて行なわれる試験により得られた静摩擦係数である。ここで、静摩擦力は摩擦面が接触する時間と共に増加するため、接触時間を３０秒と規定する。
【００４７】
上記の通り、本発明においては、ベルト本体に付与される滑り止め機能を、ベルト本体を形成する材料それ自体の材質に由来して発現させても、また、ベルト本体の表面に滑り止め機能発現のための表面形状構造を設けることにより発現させてもよいが、勿論、材料それ自体の材質に由来する滑り止め機能とベルト本体の表面形状構造に由来する滑り止め機能とを併用させてもよい。
【００４８】
なお、本発明においては、ベルト本体の巻付開始部にこのベルト本体の一般面より突出した始端突起を形成してもよく、これによって、巻付け操作の際に複数の釣竿体を握り損ねても、２本の釣竿体間に挟み込まれた巻付開始部が簡単に抜け落ちるのを防止することができる。
【００４９】
なお、本発明の釣竿結束ベルトは、ゴムやプラスチックの射出成形、プレス成形、押出成形等の公知の成形手段又はこれらの成形手段を組み合わせることにより、容易に製造することができる。
【発明の効果】
【００５０】
本発明の釣竿結束ベルトは、その使用に際しての巻付け操作が極めて容易であると共に、複数の釣竿体に対する結束性を向上させることができるので、たとえ釣竿体が水に濡れた状態でも容易に巻き付けて結束することができ、しかも、釣竿体の表面に対する滑り止め機能を生かして、複数本に分割されて互いに接続可能な釣竿部材からなる釣竿体の場合に、使用後にその釣竿体の雄雌式の嵌合連結部を分解する際の分解補助具としても使用できる。
【発明を実施するための最良の形態】
【００５１】
以下、添付図面に示す実施例に基づいて、本発明の好適な実施の形態を具体的に説明する。
【００５２】
［実施例１］
図１に、本発明の実施例１に係る釣竿結束ベルトＢ1が示されており、図１(a)はこの実施例１の釣竿結束ベルトＢ1の外側面側を示す平面図であり、また、図１(b)は側面図であり、図１(c)は、３本に分割された釣竿部材Ｒ1〜Ｒ3からなる複数の釣竿体Ｒにこの実施例１の釣竿結束ベルトＢ1を巻き付けた使用状態を示す側面説明図である。
【００５３】
この実施例１の釣竿結束ベルトＢ1は、互いに結束される３本の釣竿体Ｒの間に挟み込まれて巻き始め端側となる巻付開始部1a及び巻き終り端側となる終端部1bを有すると共に、３本の釣竿体に巻き付けた際に外側に位置する外側面2a及び内側に位置する内側面2bを有する帯状のベルト本体１と、このベルト本体1の終端部1bの内側面2bに設けられた雄部面ファスナー3a及び上記ベルト本体1の巻付開始部1aを除く外側面2a全面に設けられた伸縮可能な雌部面ファスナー3bからなる係脱可能な面ファスナー（係止部材）３とで構成されている。
【００５４】
そして、ベルト本体1は、デュロメータＡ硬度５０の柔軟で伸縮性のある滑り止め機能に優れたスチレン系のエラストマー樹脂で形成され、また、その全表面には図示外の角錐模様による凹凸が形成されており、これによって、ベルト本体1の巻付開始部1aの外側面2a及び内側面2bの両面を含む、上記雄部面ファスナー3a及び雌部面ファスナー3bで覆われていないベルト本体1の全ての表面に滑り止め機能が発揮されるようになっている。
【００５５】
この実施例１の釣竿結束ベルトＢ1においては、ベルト本体１が厚さ２．５mm×幅３cm×長さ３０cmの大きさに形成されており、また、ベルト本体１の巻付開始部1aの長さがベルト本体１全長の略１／４の長さになっており、更に、ベルト本体１のこの巻付開始部1aの長さ部分を除く全領域に雌部面ファスナー3bが取付けられている。
【００５６】
また、雌部面ファスナー3bは、ナイロン製のループ片が複数形成された伸縮性を有する布状の面ファスナーであり、ベルト本体１に対して加熱融着して取付けられている。そして、雄部面ファスナー3aはナイロン製のフック片が複数形成された面ファスナーであり、ベルト本体１に対して粘着剤により接着固定されている。なお、ベルト本体１の材質については、従来技術の結束ベルトと同様のクロロプレンゴム等の発泡体を採用することもでき、また、取付ける面ファスナーは接着剤により接着したり、縫着で取付けるようにしてもよい。
【００５７】
また、ベルト本体１の終端部1bの外側面2aには、商標等がデザインされたタグ、ワッペン、シール等を接着又は縫着等の手段によって取付けることもできる。更に、ベルト本体１の任意の部分に適宜な大きさのスリットを形成して、釣竿に固定される釣糸ガイドリングを挿通できる部分を形成してもよい。
【００５８】
従って、この実施例１に係る釣竿結束ベルトＢ1によれば、使用時には、図１(c)に示すように、３本に分割された釣竿部材Ｒ1〜Ｒ3からなる３本の釣竿体Ｒの間にベルト本体1の巻付開始部1aを挟み込み、ベルト本体1の内側面2b側を内側にして引張りながら釣竿体Ｒ全体に巻き付け、最後にベルト本体1の終端部1bに設けられた雄部面ファスナー3aをベルト本体1の外側面2aに設けられた雌部面ファスナー3bに係止して固定すればよい。
【００５９】
このとき、実施例１の釣竿結束ベルトＢ1は、その巻付開始部1aの滑り止め機能を有する外側面2a及び内側面2bが３本の釣竿部材Ｒ1〜Ｒ3（釣竿体Ｒ）のいずれの表面にも接し、そこで優れた滑り止め機能を発揮するので、３本の釣竿体Ｒに巻き付ける際に、３本の釣竿体Ｒの間に挟みこまれたベルト本体1の巻付開始部1aが滑り抜けることがなく、その巻付け操作が極めて容易になり、しかも、釣竿体Ｒに対する結束性が確実になる。
【００６０】
加えて、この実施例１の釣竿結束ベルトＢ1においては、各釣竿体Ｒを連結して使用した後に、たとえ雨天等の水に濡れた状態であっても、この釣竿結束ベルトＢ1のベルト本体１の内側面2bの滑り止め機能を利用し、嵌合連結部を分解する際の分解補助具として活用することができ（嵌合連結部の分解補助機能）、手が滑らず、少ない握力で釣竿体Ｒの嵌合連結部を容易に分解することができる。
【００６１】
［第２実施例］
図２に、本発明の実施例２に係る釣竿結束ベルトＢ2が示されている。図２(a)はこの実施例２の釣竿結束ベルトＢ2の外側面側を示す平面図であり、また、図２(b)は側面図であり、上記実施例１の釣竿結束ベルトＢ1と同じ部分には同じ符号を付している。
【００６２】
この実施例２の釣竿結束ベルトＢ2は、上記実施例１の場合と同様に、巻付開始部1a及び終端部1bを有すると共に外側面2a及び内側面2bを有する帯状のベルト本体１と、ベルト本体1の終端部1bの内側面2bに設けられた雄部面ファスナー3a及びベルト本体1の外側面2aに設けられた伸縮可能な雌部面ファスナー3bからなる係脱可能な面ファスナー（係止部材）３とで構成されているが、上記実施例１の場合と異なり、雌部面ファスナー3bがベルト本体1の巻付開始部1a（ベルト本体1の略１／４の長さ）及び終端部1b（ベルト本体1の略１／４の長さ）を除く外側面2aに設けられており、ベルト本体1の巻付開始部1a及び終端部1bの外側面2aが外部に露出して滑り止め機能を発揮するようになっている。
【００６３】
この実施例２の釣竿結束ベルトＢ2も、実施例１の場合と同様に優れた巻付け操作性を発揮すると共に、その釣竿体の表面に対する滑り止め機能を生かして、使用後の釣竿体の嵌合連結部を分解する際の分解補助具として使用でき（嵌合連結部の分解補助機能）、この際に巻付開始部1a及び終端部1bの両部分に滑り止め機能が設けられているので、嵌合連結部の両側でそれぞれ釣竿体を把持して分解操作を行うことができ、嵌合連結部の分解作業をより一層容易に行うことができる。
【００６４】
［第３実施例］
図３に、本発明の実施例３に係る釣竿結束ベルトＢ3が示されている。図３(a)はこの実施例３の釣竿結束ベルトＢ3の外側面側を示す平面図であり、また、図３(b)は側面図であり、更に、実施例２の場合と同様に、上記実施例１の釣竿結束ベルトＢ1と同じ部分には同じ符号を付している。
【００６５】
この実施例３の釣竿結束ベルトＢ3は、上記実施例１の場合と全く同様に、巻付開始部1a及び終端部1bと外側面2a及び内側面2bとを有する帯状のベルト本体１と、ベルト本体1の終端部1bの内側面2bに設けられた雄部面ファスナー3a及びベルト本体1の外側面2aに設けられた伸縮可能な雌部面ファスナー3bからなる係脱可能な面ファスナー（係止部材）３とで構成されているが、上記実施例１の場合と異なり、ベルト本体1の巻付開始部1aの先端の外側面2a及び内側面2bにそれぞれその一般面から概ねベルト本体1の厚さ分だけ突出した対の始端突起４が設けられている。
【００６６】
それ故、この実施例３の釣竿結束ベルトＢ3は、実施例１の場合と同様に優れた巻付け操作性を有すると共に優れた嵌合連結部の分解補助機能を発揮するほか、巻付け操作の際に複数の釣竿体Ｒを握り損ねても、２本の釣竿体Ｒの間に挟み込まれた巻付開始部1aの対の始端突起４が２本の釣竿体Ｒ間に引っ掛かり、不用意にベルト本体１が抜け落ちることがない。
【００６７】
［実施例４］
図４に、本発明の実施例４に係る釣竿結束ベルトＢ4が示されている。図４(a)はこの実施例４の釣竿結束ベルトＢ4の外側面側を示す平面図であり、また、図４(b)は側面図であり、更に、図４(c)はこの実施例４の釣竿結束ベルトＢ4の内側面側を示す底面図であって、図４(d)はこの実施例４の釣竿結束ベルトＢ4の要部を示す部分断面拡大側面図であり、実施例２や実施例３の場合と同様に、上記実施例１の釣竿結束ベルトＢ1と同じ部分には同じ符号を付している。
【００６８】
この実施例４の釣竿結束ベルトＢ4は、上記実施例１の場合と同様に、巻付開始部1a及び終端部1bと外側面2a及び内側面2bとを有する帯状のベルト本体1と、ベルト本体1の終端部1bの内側面2bに設けられた雄部面ファスナー3a及びベルト本体1の外側面2aに設けられた伸縮可能な雌部面ファスナー3bからなる係脱可能な面ファスナー（係止部材）３とで構成されているが、ベルト本体1の終端部1bを除く内側面2bの全面に、ベルト本体１の表面から互いに独立して突出し、頂上には互いに略同一平面状に位置する平滑な頂上面5aが形成されていると共にこの頂上面5aと周方向側面5bとで角部5cが明確に形成されている多数の柱状突起５が設けられている。
【００６９】
この実施例４において、各柱状突起５は、デュロメータＡ硬度５３の熱可塑性スチレン系エラストマー樹脂製の柔軟なベルト本体１の成形時にこのベルト本体１と一体に成形されており、直径３mm及び高さ０．８mmの円柱形状に形成されている。そして、各柱状突起５の頂上面5aは、光沢を有する程の鏡面状の平滑な面に形成され、表面粗さ形状測定器（東京精密（株）製サーフコム）を用いて測定した表面粗さＲaが０．２μmであり、また、柱状突起５の頂上面5aとその周方向側面5bとの間には、５０倍の拡大映像で観察した際のＲ形状が概略半径８０μm程度の角部5cに角付けされている。更に、多数の柱状突起５は、厚さ２mmのベルト本体１に対して略均一に配列されており、多数の柱状突起５の個々の頂上面5aの面積は約７mm2であって、この柱状突起５の頂上面5aの合計面積はベルト本体１の平面の面積（投影平面の面積）に対して概ね３６%の割合になっている。
【００７０】
また、この実施例４においては、ベルト本体１の巻付開始部1aの先端の左右両角部が切り欠かれて平面台形状に形成され、更にその先端縁の外側面2aにはその一般面から突出した始端突起４が設けられている。そして、雄部面ファスナー3aはベルト本体１の終端部1bの内側面2bの全面に設けられており、また、雌部面ファスナー3bはベルト本体１の略１／４の長さを有してベルト本体1の巻付開始部1aを除く外側面2a全面に設けられている。
【００７１】
更に、この実施例４においては、ベルト本体１がその内側面2b側を形成すると共に上記多数の柱状突起５を有する蛍光色カラー層6aと、隠蔽性を有する白色の裏打層6bと、上記蛍光色カラー層6aとは異なる蛍光色を有すると共に外側面2a側を形成する蛍光色カラー層6cとで構成されており、夕暮れ時や夜間であっても、ベルト本体１の蛍光色カラー層6a及び6cの蛍光色が鮮やかに発色し、外側面2a側及び内側面2b側を容易に区別することができ、その優れた巻付け操作性を確保することができる。なお、これらの蛍光色カラー層6a及び6cと裏打層6bは、上記の熱可塑性スチレン系エラストマー樹脂に蛍光顔料等を配合して加工されたもので、互いに一体的に加熱融着されている。
【００７２】
この実施例４の釣竿結束ベルトＢ4においても、上記各実施例の場合と同様に、優れた巻付け操作性を有すると共に優れた嵌合連結部の分解補助機能を備えているものであるが、ベルト本体1の終端部1bを除く内側面2b全面に設けられた多数の柱状突起５に基づいて、より優れた巻付け操作性及び釣竿体の嵌合連結部の分解補助具としての機能を発揮するものであり、また、ベルト本体1を構成する蛍光色カラー層6a及び6cと裏打層6bに基づいて、夕暮れ時や夜間での優れた巻付け操作性及び嵌合連結部の分解補助機能を発揮する。
【００７３】
［実施例５］
図５に、本発明の実施例５に係る釣竿結束ベルトＢ5が示されている。図５(a)はこの実施例５の釣竿結束ベルトＢ5の外側面側を示す平面図であり、また、図５(b)は側面図であり、更に、実施例２や実施例３の場合と同様に、上記実施例１の釣竿結束ベルトＢ1と同じ部分には同じ符号を付している。
【００７４】
この実施例５の釣竿結束ベルトＢ5は、上記実施例１の場合と同様に、巻付開始部1a及び終端部1bと外側面2a及び内側面2bとを有する帯状のベルト本体１と、ベルト本体1の終端部1bの内側面2bに設けられた雄部面ファスナー3a及びベルト本体1の外側面2aに設けられた伸縮可能な雌部面ファスナー3bからなる係脱可能な面ファスナー（係止部材）３とで構成されている。そして、この実施例５の釣竿結束ベルトＢ5においては、上記実施例１の場合と異なり、製造時にベルト本体1の外側面2a全面に雌部面ファスナー3bを設け、その一端部において雌部面ファスナー3b側を内側にして折り返し、相対向する雌部面ファスナー3b部分を接着して一体化し、これによって、ベルト本体1の一端部に、外側面2a及び内側面2bが共に滑り止め機能を有する巻付開始部1aを形成している。
【００７５】
それ故、この実施例５の釣竿結束ベルトＢ5は、実施例１の場合と同様に優れた巻付け操作性を有すると共に優れた嵌合連結部の分解補助機能を発揮するほか、巻付開始部1aの厚さが他の部分の厚さの略２倍になるので、滑り止め機能を持たせる上で必要な厚さを例えば半分の厚さの発泡ゴムで確保できるようになり、材料を大幅に低減することができる。
【００７６】
［実施例６］
図６に、本発明の実施例６に係る釣竿結束ベルトＢ6が示されている。図６(a)はこの実施例６の釣竿結束ベルトＢ6の外側面側を示す平面図であり、また、図６(b)は側面図であり、更に、実施例２や実施例３の場合と同様に、上記実施例１の釣竿結束ベルトＢ1と同じ部分には同じ符号を付している。
【００７７】
この実施例６の釣竿結束ベルトＢ6は、上記実施例１の場合と同様に、巻付開始部1a及び終端部1bと外側面2a及び内側面2bとを有する帯状のベルト本体１と、ベルト本体1の終端部1bの内側面2bに設けられた雄部面ファスナー3a及びベルト本体1の外側面2aに設けられた伸縮可能な雌部面ファスナー3bからなる係脱可能な面ファスナー（係止部材）３とで構成されている。そして、この実施例６の釣竿結束ベルトＢ6においては、上記実施例１の場合と異なり、製造時にベルト本体1の外側面2a全面に雌部面ファスナー3bを設け、その一端部の外側面2aに滑り止め部材７を積層して接着し、これによって、このベルト本体1の一端部に、外側面2a及び内側面2bが共に滑り止め機能を有する巻付開始部1aを形成している。
【００７８】
それ故、この実施例６の釣竿結束ベルトＢ6は、実施例１の場合と同様に優れた巻付け操作性を有すると共に優れた嵌合連結部の分解補助機能を発揮するほか、従来の製造工程を変更することなく一部の工程を追加するだけで、容易に釣竿結束ベルトの製造が可能である。
【００７９】
［実施例７］
図７に、本発明の実施例７に係る釣竿結束ベルトＢ7が示されており、図７(a)はこの実施例７の釣竿結束ベルトＢ7の外側面側を示す平面図であり、また、図７(b)は側面図であり、図７(c)は、３本に分割された釣竿部材Ｒ1〜Ｒ3からなる複数の釣竿体Ｒにこの実施例７の釣竿結束ベルトＢ7を巻き付けた使用状態を示す側面説明図である。更に、図７(d)は、比較例としての釣竿結束ベルトＢ7'を複数の釣竿体Ｒに巻き付けた使用状態を示す側面説明図である。更に、実施例２や実施例３の場合と同様に、上記実施例１の釣竿結束ベルトＢ1と同じ部分には同じ符号を付している。
【００８０】
この実施例７の釣竿結束ベルトＢ7は、上記実施例１の場合と同様に、互いに結束される３本の釣竿体Ｒの間に挟み込まれて巻き始め端側となる巻付開始部1a及び巻き終り端側となる終端部1bを有すると共に、３本の釣竿体Ｒに巻き付けた際に外側に位置する外側面2a及び内側に位置する内側面2bを有する帯状のベルト本体１と、このベルト本体1の終端部1bの内側面2bに設けられた雄部面ファスナー3a（3a1、3a2、3a3）及び上記ベルト本体1の巻付開始部1aを除く外側面2a全面に設けられた伸縮可能な雌部面ファスナー3bからなる係脱可能な面ファスナー（係止部材）３とで構成されているが、上記実施例１の場合と異なり、雄部面ファスナー3aが３個の分割構成片3a1、3a2、3a3から構成されており、釣竿結束ベルトＢ7の終端部1bが柔軟になるよう構成されている。
【００８１】
本実施例７の雄部面ファスナー3aはナイロン製のフック片が複数形成された面ファスナー（係止部材）３であり、ベルト本体1の幅方向の両端から引っ込んで取付けられ、また、分割構成片3a1、3a2、3a3の各々は１０mmの長さに形成され、互いに２mmの間隔を維持してベルト本体1の終端部1bの内側面2bに取付けられている。
【００８２】
従って、本実施例７の釣竿結束ベルトＢ7によれば、ベルト本体1の終端部1bに設けられた雄部面ファスナー3aが分割構成片3a1、3a2、3a3の３個で構成され、それぞれ一定の間隔を有して取付けられているため、各分割構成片3a1、3a2、3a3の間で雄部面ファスナーに基づく曲げ剛性が失われて終端部1bが柔軟になり、釣竿体Ｒに巻き付けられたベルト本体1の終端部1bが曲率の小さい部分で係止する場合でも、この係止部分の円形状に倣ってスムーズに係止されるため、図７(d)の比較例の如く１片１個で形成される雄部面ファスナー3a'を取付けた釣竿結束ベルトＢ7'と比較して、ベルト本体1の終端部1bが浮き上がる浮上り現象を可及的に防止することができる。
【００８３】
ここで、本実施例７の如く、ベルト本体1の終端部1bに取付けられる雄部面ファスナー3aを３個の分割構成片3a1、3a2、3a3で構成することによりベルト本体1の終端部1bを柔軟にする手段については、例えば、従来公知の雌部面ファスナーがベルト本体1の外側面2aの全面に構成した釣竿結束ベルト等においても採用することができる。
【００８４】
［実施例８］
図８に、本発明の実施例８に係る釣竿結束ベルトＢ8が示されている。図８(a)はこの実施例８の釣竿結束ベルトＢ8の外側面側を示す平面図であり、また、図８(b)は側面図であり、更に、図８(c)はこの実施例８の釣竿結束ベルトＢ8の内側面側を示す底面図であり、実施例２や実施例３の場合と同様に、上記実施例１の釣竿結束ベルトＢ1と同じ部分には同じ符号を付している。
【００８５】
この実施例８の釣竿結束ベルトＢ8は、上記実施例１の場合と同様に、巻付開始部1a及び終端部1bと外側面2a及び内側面2bとを有する帯状のベルト本体1と、ベルト本体1の終端部1bの内側面2bに設けられた雄部面ファスナー3a（3a1、3a2、3a3）及びベルト本体1の外側面2aに設けられた伸縮可能な雌部面ファスナー3bからなる係脱可能な面ファスナー（係止部材）３とで構成されているが、上記実施例１の場合と異なり、雄部面ファスナー3aが３個の分割構成片3a1、3a2、3a3から構成されており、釣竿結束ベルトＢ8の終端部1bが柔軟になるよう構成されている。更に、上記実施例４の場合と同様に、ベルト本体1の終端部1bを除く内側面2bの全面に、ベルト本体1の表面から互いに独立して突出する多数の柱状突起５が設けられて滑り止め機能に優れている。
【００８６】
また、この実施例８の釣竿結束ベルトＢ8では、上記実施例1の場合と異なり、雌部面ファスナー3bがベルト本体1の巻付開始部1a及び終端部1bを除く外側面2aに設けられており、更にベルト本体1の終端部1bの外側面2aには、商標マーク９が印刷された人工皮革製のタグ片８が雌部面ファスナー3bとその一端部の一部分が重ねられて接着され取付けられている。
【００８７】
従って、この実施例８の釣竿結束ベルトＢ8は、上記実施例４の場合と同様の優れた巻付け操作性を有すると共に、優れた嵌合連結部の分解補助機能を備えているばかりでなく、上記実施例７と同様に終端部1bが柔軟になるよう構成されるので、使用の際にはベルト本体1の終端部1bの浮上り現象が防止できる。
【００８８】
［実施例９］
図９は、本発明の実施例９に係る釣竿結束ベルトＢ9が示されている。図９(a)はこの実施例９の釣竿結束ベルトＢ9の外側面側を示す平面図であり、また、図９(b)は側面図であり、更に、図９(c)はこの実施例９の釣竿結束ベルトＢ9の内側面側を示す底面図であって、図９(d)はこの実施例９の釣竿結束ベルトＢ9の要部を示す部分断面拡大側面図であり、実施例２や実施例３の場合と同様に、上記実施例１の釣竿結束ベルトＢ1と同じ部分には同じ符号を付している。
【００８９】
この実施例９の釣竿結束ベルトＢ9は、ベルト本体1の終端部1bを除く内側面2b全面に、滑り止め機能発現のための表面形状構造として、実施例４の場合と同様の"互いに独立して突設された多数の柱状突起"を設けたものであり、この場合には、たとえベルト本体１の巻付開始部1aの外側面2a側が滑り止め機能を有していなくとも、多数の柱状突起に基づいて優れた巻付け操作と嵌合連結部の分解補助機能とを発揮し得るものである。
【００９０】
すなわち、この第９実施例の釣竿結束ベルトＢ9は、巻付開始部1a及び終端部1bと外側面2a及び内側面2bとを有する帯状のベルト本体１と、ベルト本体1の終端部1bの内側面2bに設けられた雄部面ファスナー3a及びベルト本体1の外側面2a全面に設けられた伸縮可能な雌部面ファスナー3bからなる係脱可能な面ファスナー（係止部材）３とで構成されている。
【００９１】
そして、上記ベルト本体1の終端部1bを除く内側面2b全面には、実施例４の場合と同様に、ベルト本体１の表面から互いに独立して突出し、頂上には互いに略同一平面状に位置する平滑な頂上面5aが形成されていると共にこの頂上面5aと周方向側面5bとで角部5cが明確に形成されている多数の柱状突起５が設けられている。
【００９２】
また、この実施例９においても、実施例４の場合と同様に、各柱状突起５は、デュロメータＡ硬度５３の熱可塑性スチレン系エラストマー樹脂製の柔軟なベルト本体１の成形時にこのベルト本体１と一体に成形されており、直径３mm及び高さ０．８mmの円柱形状に形成されている。そして、各柱状突起５の頂上面5aは、光沢を有する程の鏡面状の平滑な面に形成され、表面粗さ形状測定器（東京精密（株）製サーフコム）を用いて測定した表面粗さＲaが０．２μmであり、また、柱状突起５の頂上面5aとその周方向側面5bとの間には、５０倍の拡大映像で観察した際のＲ形状が概略半径８０μm程度の角部5cに角付けされている。更に、多数の柱状突起５は、厚さ２mmのベルト本体１に対して略均一に配列されており、多数の柱状突起５の個々の頂上面5aの面積は約７mm2であって、この柱状突起５の頂上面5aの合計面積はベルト本体１の平面の面積（投影平面の面積）に対して概ね３６%の割合になっている。
【００９３】
また、本実施例９の釣竿結束ベルトＢ9は、雄部面ファスナー3aが２個の分割構成片3a1、3a2から構成されて釣竿結束ベルトＢ9の終端部1bが柔軟になるように構成されている。そして、ベルト本体1の終端部1bの端部に最も近い分割構成片3a2は長さ１０mmに形成され、２mmの間隔をあけて長さ２０mmの分割構成片3a1が取付けられ、この場合にも、巻き付け使用時の終端部1bでの浮き上がりが防止でき係止をより確実なものにできる。
【図面の簡単な説明】
【００９４】
【図１】図１は、本発明の実施例１に係る釣竿結束ベルトを示すもので、図１(a)はその外側面側を示す平面図、図１(b)は側面図、図１(c)は使用状態を示す側面説明図である。
【００９５】
【図２】図２は、本発明の実施例２に係る釣竿結束ベルトを示すもので、図２(a)はその外側面側を示す平面図、図２(b)は側面図である。
【００９６】
【図３】図３は、本発明の実施例３に係る釣竿結束ベルトを示すもので、図３(a)はその外側面側を示す平面図、図３(b)は側面図である。
【００９７】
【図４】図４は、本発明の実施例４に係る釣竿結束ベルトを示すもので、図４(a)はその外側面側を示す平面図、図４(b)は側面図、図４(c)はその内側面側を示す底面図、図４(d)はその要部を示す部分断面拡大側面図である。
【００９８】
【図５】図５は、本発明の実施例５に係る釣竿結束ベルトを示すもので、図５(a)はその外側面側を示す平面図、図５(b)は側面図である。
【００９９】
【図６】図６は、本発明の実施例６に係る釣竿結束ベルトを示すもので、図６(a)はその外側面側を示す平面図、図６(b)は側面図である。
【０１００】
【図７】図７は、本発明の実施例７に係る釣竿結束ベルトを示すもので、図７(a)はその外側面側を示す平面図、図７(b)は側面図、図７(c)は使用状態を示す側面説明図、図７(d)は使用状態の比較例を示す側面説明図である。
【０１０１】
【図８】図８は、本発明の実施例に係る釣竿結束ベルトを示すもので、図８(a)はその外側面側を示す平面図、図８(b)は側面図、図８(c)はその内側面側を示す底面図である。
【０１０２】
【図９】図９は、本発明の実施例９に係る釣竿結束ベルトを示すもので、図９(a)はその外側面側を示す平面図、図９(b)は側面図、図９(c)はその内側面側を示す底面図、図９(d)はその要部を示す部分断面拡大側面図である。
【符号の説明】
【０１０３】
Ｂ1〜Ｂ9…釣竿結束ベルト、1…ベルト本体、1a…巻付開始部、1b…終端部、2a…外側面、2b…内側面、３…面ファスナー、3a，3a'…雄部面ファスナー、3a1，3a2，3a3…分割構成片、3b…雌部面ファスナー、４…始端突起、５…柱状突起、5a…頂上面、5b…周方向側面、5c…角部、6a,6c…蛍光色カラー層、6b…裏打層、７…滑り止め部材、８…タグ片、９…商標マーク。
【図１】
0005283421.tif 000002
【図２】
0005283421.tif 000003
【図３】
0005283421.tif 000004
【図４】
0005283421.tif 000005
【図５】
0005283421.tif 000006
【図６】
0005283421.tif 000007
【図７】
0005283421.tif 000008
【図８】
0005283421.tif 000009
【図９】
0005283421.tif 000010